(57)【要約】ケーブルを共通化でき、またケーブルの不要な露出を防ぐことができるレンズ装置、及びそのようなレンズ装置を備える撮像装置を提供することを目的とする。本発明の実施形態に係るレンズ装置は、撮像装置本体に交換可能に装着されるレンズ装置であって、レンズ鏡筒と、レンズ鏡筒上に突出して設けられた制御ユニットと、制御ユニットに一端が接続され撮像装置本体に他端が接続されるケーブルと、ケーブルの長さ方向に複数設けられた長さ規制部材と、ケーブルが収納される収納部であって、ケーブルを引き出すための開口が設けられた収納部と、を備え、ケーブルは制御ユニットの突出方向と垂直な面内で収納部に収納され、複数の長さ規制部材のいずれかを開口に嵌合させることでケーブルの引き出し長さが変更される。
2014050332.tif 000002
【特許請求の範囲】
【請求項１】
撮像装置本体に交換可能に装着されるレンズ装置であって、
レンズ鏡筒と、
前記レンズ鏡筒上に突出して設けられた制御ユニットと、
前記制御ユニットに一端が接続され前記撮像装置本体に他端が接続されるケーブルと、
前記ケーブルの長さ方向に複数設けられた長さ規制部材と、
前記ケーブルが収納される収納部であって、前記ケーブルを引き出すための開口が設けられた収納部と、
を備え、
前記ケーブルは前記制御ユニットの突出方向と垂直な面内で前記収納部に収納され、
前記複数の長さ規制部材のいずれかを前記開口に嵌合させることで前記ケーブルの引き出し長さが変更される、
レンズ装置。
【請求項２】
前記長さ規制部材は前記開口を挟む２つのフランジを有する、請求項１に記載のレンズ装置。
【請求項３】
前記ケーブルは、少なくとも一部が前記制御ユニットの周囲に巻回されており、前記制御ユニットが前記鏡筒から突出する高さと前記巻回されたケーブルの前記突出方向の高さとが重複する、請求項１又は２に記載のレンズ装置。
【請求項４】
前記収納部は着脱可能なカバーを備え、
前記カバーを外すと前記収納部に収納されたケーブルが露出する、
請求項１から３のいずれかに記載のレンズ装置。
【請求項５】
前記カバーの縁部に切り欠きが形成されており、前記カバーを装着すると前記切り欠きが前記開口を形成する、請求項１から４のいずれかに記載のレンズ装置。
【請求項６】
前記ケーブルが前記レンズ装置の視線方向と反対方向に引き出されるように前記開口が設けられた、請求項１から５のいずれかに記載のレンズ装置。
【請求項７】
前記制御ユニットはアイリス制御ユニットであり、前記ケーブルはアイリスケーブルである、請求項１から６のいずれかに記載のレンズ装置。
【請求項８】
請求項１から７のいずれかに記載のレンズ装置と、
前記レンズ装置が装着される撮像装置本体と、
を備える撮像装置。
【発明の詳細な説明】
【技術分野】
【０００１】
本発明は、撮像装置に交換可能に装着されるレンズ装置及びそのようなレンズ装置が装着される撮像装置に関し、特にレンズ装置のケーブルを収納する技術に関する。
【背景技術】
【０００２】
撮像装置本体に交換可能に取り付けられるタイプのレンズ装置は、様々な種類の撮像装置本体に対応できることが好ましい。しかしながら、レンズ装置には撮像装置本体との間でフォーカス、ズーム又はアイリス等の制御用信号を送受信するためのケーブルが設けられているものがあり、このようなタイプのレンズ装置を様々な種類の撮像装置本体に取り付けようとしたとき、撮像装置本体の構成によってケーブルの接続位置が異なる場合がある。すなわち、必要なケーブルの長さが撮像装置本体の構成によって異なる場合がある。【０００３】
このような状況に対応するために、撮像装置本体の構成に合わせて長いケーブルのレンズ装置と短いケーブルのレンズ装置とを作り分けることが考えられるが、それでは各モデルに対し専用のケーブルが必要になり、コストや在庫が増加してしまう。また、長いケーブルのレンズ装置のみで短いケーブルの場合にも対応することも考えられるが、例えば監視カメラのような撮像装置ではケーブルの露出やたるみが多いといたずらで壊されるおそれがありまた体裁もよくないため、ケーブルの露出はできるだけ短くすることが好ましい。【０００４】
このような点を考慮し、例えば特許文献１ではケーブルの引き出し位置を工夫すると共に接続部分にカバーを設けるようにした監視用カメラが記載されている。また特許文献２では、撮像装置本体側にケーブルを巻き取る機構を設け、ケーブルがたるまないようにしている。
【先行技術文献】
【特許文献】
【０００５】
【特許文献１】特開平９−２００５８６号公報
【特許文献２】特開２００８−１１２６７８号公報
【発明の概要】
【発明が解決しようとする課題】
【０００６】
しかしながら、上記特許文献１及び２に記載されるような従来の技術は、撮像装置本体の構成に起因したレンズ装置のケーブルへの要求に十分に対応できるものではなかった。例えば、特許文献１に記載の技術ではケーブル長さの異なるレンズ装置を撮像装置本体の構成に合わせて複数用意しておく必要があり、またレンズ装置に長いケーブルを設けて複数の撮像装置に対応させようとするとケーブルの露出が長くなってしまう。一方、特許文献２に記載の技術では撮像装置本体側にケーブル巻き取り構造を設けているのでレンズ装置のケーブル接続部分（コネクタ）の構成に対する制約が生じ、またそのような特定の構造を有する撮像装置本体との組み合わせでなければ使用できないという問題がある。【０００７】
本発明はこのような事情に基づいてなされたもので、ケーブルを共通化でき、またケーブルの不要な露出を防ぐことができるレンズ装置を提供することを目的とする。更に、本発明はそのようなレンズ装置を備える撮像装置を提供することを目的とする。
【課題を解決するための手段】
【０００８】
上記目的を達成するため、本発明の第１の態様に係るレンズ装置は、撮像装置本体に交換可能に装着されるレンズ装置であって、レンズ鏡筒と、レンズ鏡筒上に突出して設けられた制御ユニットと、制御ユニットに一端が接続され撮像装置本体に他端が接続されるケーブルと、ケーブルの長さ方向に複数設けられた長さ規制部材と、ケーブルが収納される収納部であって、ケーブルを引き出すための開口が設けられた収納部と、を備え、ケーブルは制御ユニットの突出方向と垂直な面内で収納部に収納され、複数の長さ規制部材のいずれかを開口に嵌合させることでケーブルの引き出し長さが変更される。【０００９】
第１の態様ではケーブルが収納部に収納されるので、この収納長さを調整することでケーブルの引き出し長さを変更することができる。したがって引き出し長さが長い場合は収納長さを少なくし逆に引き出し長さが長い場合は収納長さを多くすることで、撮像装置の構成により必要なケーブル長が異なる場合でも対応することができる。これにより複数種類分のケーブル起型をすることなくショートケーブルとロングケーブルの使い分けが可能となり、ケーブルを共通化できる。また収納長さを変更することで引き出し長さを調整できるので、ケーブルの不要な露出を防ぐことができ、良好な体裁を確保しつついたずら防止を図ることができる。【００１０】
第１の態様において収納部にケーブルを収納する形態としては、ケーブルを円形状・四角形状・渦巻き型等の形状に巻回して収納するようにしてもよいし、ケーブルを蛇行させあるいは折り返して収納するようにしてもよい。ここで巻回や蛇行・折り返しの長さ・回数等は、ケーブルの引き出し長さに合わせて決めればよい。【００１１】
なお第１の態様において「制御ユニット」には、レンズ装置に含まれるズームレンズ、フォーカスレンズ又はアイリス等を制御するための制御ユニット（例えば、モータやガルバノメータ等）が含まれる。また第１の態様では「長さ規制部材」をケーブルの長さ方向に複数設けておくことで、複数の引き出し長さに対応することができる。長さ規制部材の数は２つでもよいし、３つ以上でもよい。【００１２】
本発明の第２の態様に係るレンズ装置は第１の態様において、長さ規制部材は開口を挟む２つのフランジを有する。これらのフランジにより、長さ規制部材を開口に嵌合してケーブルの引き出し長さを固定することができる。【００１３】
本発明の第３の態様に係るレンズ装置は第１又は第２の態様において、ケーブルは、少なくとも一部が制御ユニットの周囲に巻回されており、制御ユニットが鏡筒から突出する高さと巻回されたケーブルの突出方向の高さが重複する。第３の態様のようにケーブルを巻回することで、巻回部分がレンズ鏡筒から突出する高さを抑制することができ、レンズ装置を小型化することができる。【００１４】
本発明の第４の態様に係るレンズ装置は第１から第３の態様のいずれかにおいて、収納部は着脱可能なカバーを備え、カバーを外すと収納部に収納されたケーブルが露出する。第４の態様のように着脱可能なカバーを備えた構成とすることにより、ケーブル収納長さの変更及びこれによるケーブル引き出し長さの設定を容易に行うことができる。例えば、カバーを外し収納部内に収納されていたケーブルを伸ばして開口から引き出すことで引き出し長さを長くすることができ、また収納部内での収納長さを長くすることでケーブルの引き出し長さを短くすることができる。【００１５】
本発明の第５の態様に係るレンズ装置は第１から第４の態様のいずれかにおいて、カバーの縁部に切り欠きが形成されており、カバーを装着すると切り欠きがを形成する。第５の態様のような構成を採用することにより、長さ規制部材を開口に嵌合させることによるケーブル引き出し長さの設定を容易に行うことができる。なお、上記切り欠きに対応する別の切り欠きを収納部の本体部分に設けておき、これら複数の切り欠きにより開口が形成されるようにしてもよい。  【００１６】
本発明の第６の態様に係るレンズ装置は第１から第５の態様のいずれかにおいて、ケーブルがレンズ装置の視線方向と反対方向に引き出されるように開口が設けられている。第６の態様は、撮像装置本体が取り付けられる方向に開口を設けてケーブルの引き出し長さ・露出長さを短くするようにしたものである。【００１７】
本発明の第７の態様に係るレンズ装置は第１から第６の態様のいずれかにおいて、制御ユニットはアイリス制御ユニットであり、ケーブルはアイリスケーブルである。監視カメラ等の撮像装置は通常一定の方向・距離を撮影するようになっているためズームやフォーカスは撮像装置の設置時に固定することが多いが、そのような場合でも撮影場所の明るさ及びその変化に応じてアイリスを制御するために、レンズ装置にアイリス制御ユニットを設けていることがある。第７の態様はそのようなアイリス制御ユニットを備えるレンズ装置を規定するものである。【００１８】
上記目的を達成するため、本発明の第８の態様に係る撮像装置は、第１から第７の態様のいずれかに記載のレンズ装置と、レンズ装置が装着される撮像装置本体と、を備える。第８の態様に係る撮像装置では第１から第７の態様のいずれかに記載のレンズ装置を備えることで、これら態様のレンズ装置によるケーブルの共通化・露出防止等の効果が奏される。
【発明の効果】
【００１９】
上述のように本発明に係るレンズ装置及び撮像装置によれば、ケーブルを共通化でき、またケーブルの不要な露出を防ぐことができる。
【図面の簡単な説明】
【００２０】
【図１】本発明の一の実施形態に係るレンズ装置を示す図である。
【図２】図１に示すレンズ装置において、ケーブルを引き出した状態を示す図である。
【図３】図１に示すレンズ装置において、収納部のみを示す図である。
【図４】図１に示すレンズ装置において、カバーを外した状態を示す図である。
【図５】図１に示すレンズ装置において、ケーブルを引き出すと共にカバーを外した状態を示す図である。
【図６】本発明の他の実施形態に係り、アイリスメータの周囲にケーブルを巻回したレンズ装置を示す図である。
【図７】本発明の他の実施形態に係るレンズ装置において、ケーブルを引き出した状態を示す図である。
【図８】本発明のさらに他の実施形態にかかり、ケーブルが引き出されるタイプのレンズ装置を示す図である。
【図９】図８に示すレンズ装置において、ケーブルを引き出した状態を示す図である。
【図１０】図１に示すレンズ装置を備える撮像装置を示す図である。
【発明を実施するための形態】
【００２１】
＜レンズ装置の実施形態＞
＜レンズ装置の構成＞
以下、添付図面に従って本発明に係るレンズ装置を実施するための形態について詳細に説明する。図１は本発明の実施形態に係る監視カメラ用レンズ装置１００（レンズ装置）を示す図である。図１の（Ａ）〜（Ｃ）に示すように、本実施形態に係るレンズ装置１００は、レンズ鏡筒１１０と、アイリスメータ１２０と、収納部１３０と、アイリスケーブル１４０とを備えている。レンズ装置１００は、後述するように監視カメラ本体（撮像装置本体）に交換可能に取り付けられて監視カメラ（撮像装置）を構成する。
【００２２】
レンズ鏡筒１１０はその内部に、図示せぬ撮影レンズ、ズームレンズ、フォーカスレンズ、及びアイリスを備える。フォーカス調整用レバー１１２Ａを用いてフォーカスリング１１２Ｂを回動すると、図示せぬカム部材及びカム溝等の機構によりフォーカスレンズが光軸Ｌ１の方向に前後移動してフォーカシングがなされる。同様に、ズーム調整用レバー１１４Ａを用いてズームリング１１４Ｂを回動すると図示せぬカム部材・カム溝等の機構によりズームレンズが光軸Ｌ１の方向に前後移動してズーミングがなされる。
【００２３】
またレンズ鏡筒１１０の外周には、光軸Ｌ１と直交する方向Ｌ２に突出してアイリスメータ１２０（制御ユニット、アイリス制御ユニット）が備えられている。アイリスメータ１２０は不図示のアイリスを駆動するためのもので、アイリスケーブル１４０（ケーブル、アイリスケーブル）のコネクタ１４２を図示せぬ監視カメラ本体に接続することにより、監視カメラ本体から電力及び信号が供給されてアイリスメータ１２０によりアイリスが駆動される。
【００２４】
アイリスケーブル１４０は基端側がアイリスメータ１２０に接続され、先端部にはコネクタ１４２が備えられていて、コネクタ１４２が監視カメラ本体側のコネクタ（不図示）に接続される。また、アイリスケーブル１４０にはケーブルブッシュ１４４，１４６（長さ規制部材）が一体的に設けられており、これらケーブルブッシュ１４４，１４６は収納部１３０（収納部）に設けられた開口１３６（開口）と嵌合するようになっている。
【００２５】
ケーブルブッシュ１４４はアイリスケーブル１４０の基端側（アイリスメータ１２０に近い側）に設けられており、フランジ１４４Ａ，１４４Ｂ（フランジ）を有する。ケーブルブッシュ１４４を開口１３６と嵌合させるとフランジ１４４Ａ，１４４Ｂが開口１３６を挟み、引き出し長さが長い状態でアイリスケーブル１４０を固定することができるようになっている。一方ケーブルブッシュ１４６はアイリスケーブル１４０の中間（ケーブルブッシュ１４４とコネクタ１４２との間）に設けられていて、フランジ１４６Ａ，１４６Ｂを有する。ケーブルブッシュ１４６を開口１３６と嵌合させるとフランジ１４６Ａ，１４６Ｂが開口１３６を挟み、引き出し長さが短い状態でアイリスケーブル１４０を固定することができる。
【００２６】
なお、本発明に係るレンズ装置において、ケーブルブッシュを３つ以上設けることでアイリス引き出し長さを３段階以上に設定できるようにしてもよい。
【００２７】
収納部１３０は巻回状態のアイリスケーブル１４０を収納すると共にアイリスメータ１２０を保護するもので、レンズ鏡筒１１０に固定された収納部本体１３２と、収納部本体１３２に着脱可能なカバー１３４（カバー）とを備える。そして、図３に示すように、収納部本体１３２の縁部及びカバー１３４の縁部には、対向する位置に半円形の切り欠き１３６Ａ及び１３６Ｂ（切り欠き）がそれぞれ形成されていて、カバー１３４（高さＨ１）を収納部本体１３２に装着すると、切り欠き１３６Ａ，１３６Ｂにより円形の開口１３６が形成される。また、収納部１３０の内側の高さは、引き出し長さが短くなるように巻回した（即ち、巻回量が多く巻回部分の高さが高い場合の）アイリスケーブル１４０を収納できる高さになっている。
【００２８】
＜ケーブル引き出し長さの調整＞
次に上記構成のレンズ装置１００におけるケーブル引き出し長さの調整の例について説明する。本例では、レンズ装置１００の組み立て時はカバー１３４が外された状態でアイリスケーブル１４０を巻回し（アイリスメータ１２０の突出方向Ｌ２と垂直な面内）、ケーブルブッシュ１４６を収納部本体１３２側の切り欠き１３６Ａに嵌合させる。この状態を図４の（Ａ）〜（Ｃ）に示す。そして、図４の状態で図３のようにカバー１３４を収納部本体１３２に装着すると、ケーブルブッシュ１４６が切り欠き１３６Ａ，１３６Ｂにより形成される開口１３６に嵌合し、アイリスケーブル１４０の引き出し長さが短い状態で固定される。この状態が図１の（Ａ）〜（Ｃ）の状態である。
【００２９】
監視カメラ本体の構成（コネクタ位置等）によりアイリスケーブル１４０の引き出し長さを長くしたい場合は、図１の（Ａ）〜（Ｃ）の状態からカバー１３４を外して図４の（Ａ）〜（Ｃ）の状態にする。そして、ケーブルブッシュ１４６を切り欠き１３６Ａから外して収納部本体１３２内に巻回されていたケーブルを伸ばし、基端側のケーブルブッシュ１４４を切り欠き１３６Ａに嵌合させる。この状態が図５の（Ａ）〜（Ｂ）の状態である。そして、カバー１３４を取り付けると、ケーブルブッシュ１４４が開口１３６に嵌合し、アイリスケーブル１４０の引き出し長さが長い状態で固定される。この状態が図２（Ａ）〜（Ｂ）の状態である。
【００３０】
このように、第１の実施形態に係るレンズ装置１００では監視カメラ本体の構成に応じてアイリスケーブル１４０の引き出し長さを調節できるので、ケーブルを共通化することができる。また、ケーブルの引き出し長さが短い場合は、収納部１３０内でのアイリスケーブル１４０の巻回を多くすることで収納部１３０外へのアイリスケーブル１４０の露出を最小限に抑えることができる。
【００３１】
＜変形例＞
次に、上記実施形態の変形例について説明する。図６及び７は本変形例に係るレンズ装置１００’を示す図である。なお以下の説明において、図１〜５と同じ構成の要素には共通の符号を付し、その説明を省略する。
【００３２】
図６の（Ａ）〜（Ｃ）並びに図７の（Ａ）及び（Ｂ）に示すレンズ装置１００’は図１〜５に示すレンズ装置１００と比較して、アイリスケーブル１４０が一部アイリスメータ１２０の周囲に巻き付けられている点が異なる。このように巻き付けることで巻回されたアイリスケーブル１４０及びこれを収納する収納部１３０’がレンズ鏡筒１１０から突出する高さを低くすることができる。このため巻回部分の高さ（Ｈｃ）がアイリスメータ１２０の高さ（Ｈｉ）と重なる分（Ｈｏ）だけカバー１３４’の高さ（Ｈ２）を低くすることができ（Ｈ２＜Ｈ１）、その結果レンズ装置１００’を小型化できる。
【００３３】
図６は図１と同様に、アイリスケーブル１４０が巻回されて収納部１３０に収納され引き出し長さが短い状態を示す。アイリスケーブル１４０の引き出し長さの調整は、レンズ装置１００について上述したのと同様の手順で行うことができる（図１〜５を参照）。図７はそのような手順でアイリスケーブル１４０を引き出した状態を示す。
【００３４】
このように本変形例に係るレンズ装置１００’では上記実施形態に係るレンズ装置１００と同様に監視カメラ本体の構成に応じてアイリスケーブル１４０の引き出し長さを調節できるのでケーブルを共通化することができ、またアイリスケーブル１４０の露出を最小限に抑えることができる。
【００３５】
＜第２の変形例＞
上述した実施形態及びその変形例ではアイリスケーブル１４０を収納部１３０，１３０’の側方（図１の（Ａ）においてＰ１方向）に引き出しているが、本発明に係るレンズ装置において引き出し方向はこれに限定されるものではなく、想定される監視カメラ本体の構成に応じて反対側の側方（図１の（Ａ）においてＰ２方向）に引き出してもよいし、収納部１３０，１３０’の前側、後側、または下側（図１の（Ａ）〜（Ｃ）においてＰ３，Ｐ４，Ｐ５方向）に引き出すようにしてもよい。この引き出し方向は監視カメラ本体の構成を考慮し、アイリスケーブル１４０の引き出し長さ・露出長さが短くなるように設定することが好ましく、また監視カメラ本体との干渉を考慮することが好ましい。
【００３６】
図８，図９はアイリスケーブル１４０を収納部１３０”の後方に引き出すようにしたレンズ装置１００”を示す図である。図８の（Ａ）〜（Ｃ）はアイリスケーブル１４０を巻回して引き出し長さを短くした状態を示し、図９の（Ａ）〜（Ｂ）は引き出し長さを長くした状態を示す。図８及び図９に示すレンズ装置１００”は、レンズ鏡筒１１０”の光軸Ｌ１方向の長さｌ”がレンズ装置１００，１００’の光軸Ｌ１方向の長さｌと比較して長くアイリスケーブル１４０を収納部１３０”の後方（図８のＰ６方向）に引き出しても監視カメラ本体と干渉しない場合（収納部１３０の後端とレンズ鏡筒とが離れている場合）の例である。なお、図８及び図９では引き出したアイリスケーブル１４０をクランク状にし、コネクタ１４２を監視カメラ本体の側面に接続できるようにしているが、アイリスケーブル１４０のクランク形状を変更しコネクタ１４２を監視カメラ本体の底部に接続するようにしてもよい。
【００３７】
本変形例に係るレンズ装置１００”でも、上記実施形態及びその変形例に係るレンズ装置１００，１００’と同様に監視カメラ本体の構成に応じてアイリスケーブル１４０の引き出し長さを調節することができ、これによりケーブルの共通化及びアイリスケーブル１４０の露出抑制が可能である。なお、レンズ装置１００”においても、図５，６に示すレンズ装置１００’と同様にアイリスケーブル１４０をアイリスメータ１２０の周囲に巻回し、レンズ装置１００”を小型化するようにしてもよい。
【００３８】
＜撮像装置の実施形態＞
次に、本発明に係る撮像装置を実施するための形態について説明する。図１０は本発明の実施形態に係るレンズ装置を備える監視カメラ２００（撮像装置）を示す図である。監視カメラ２００は本発明の実施形態に係るレンズ装置１００と監視カメラ本体２０２（撮像装置本体）とを含み、監視カメラ本体２０２は図示せぬ撮像素子（ＣＣＤ，ＣＭＯＳ等）、画像処理回路、記録媒体等を含み、画像の取得及び記録等が可能になっている。図１０の（Ａ）はアイリスケーブル１４０の引き出し長さが短くコネクタ１４２が監視カメラ本体２０２の前方に接続された場合であり、レンズ装置１００が図１に示す状態の場合に相当する。また、図１０の（Ｂ）はアイリスケーブル１４０の引き出し長さが長くコネクタ１４２が監視カメラ本体２０２の後方に接続された場合であり、レンズ装置１００が図２に示す状態の場合に相当する。
【００３９】
上述したレンズ装置１００，１００’，１００”の実施形態及びその変形例と同様に監視カメラ２００においても、アイリスケーブル１４０の巻回長さを変更することで監視カメラ本体２０２の構成（コネクタ位置）に合わせて引き出し長さを調整することができ、ケーブルの共通化及び不要な露出の抑制が可能となる。なお、本実施形態の監視カメラ２００において、レンズ装置１００に代えてレンズ装置１００’，１００”を用いるようにしてもよい。
【００４０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００４１】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００４２】
１００，１００’，１００”…レンズ装置、１１０，１１０”…レンズ鏡筒、ｌ，ｌ”…レンズ鏡筒の長さ、１２０…アイリスメータ、１３０…収納部、１３２…収納部本体、１３４，１３４’…カバー、１３６…開口、１３６Ａ，１３６Ｂ…切り欠き、１４０…アイリスケーブル、１４２…コネクタ、２００…監視カメラ、２０２…監視カメラ本体
【図１】
2014050332.tif 000003
【図２】
2014050332.tif 000004
【図３】
2014050332.tif 000005
【図４】
2014050332.tif 000006
【図５】
2014050332.tif 000007
【図６】
2014050332.tif 000008
【図７】
2014050332.tif 000009
【図８】
2014050332.tif 000010
【図９】
2014050332.tif 000011
【図１０】
2014050332.tif 000012
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
撮像装置本体に交換可能に装着されるレンズ装置であって、
レンズ鏡筒と、
前記レンズ鏡筒上に突出して設けられた制御ユニットと、
前記制御ユニットに一端が接続され前記撮像装置本体に他端が接続されるケーブルと、
前記ケーブルの長さ方向に複数設けられた長さ規制部材と、
前記ケーブルが収納される収納部であって、前記ケーブルを引き出すための開口が設けられた収納部と、
を備え、
前記ケーブルは前記制御ユニットの突出方向と垂直な面内で前記収納部に収納され、
前記複数の長さ規制部材のいずれかを前記開口に嵌合させることで前記ケーブルの引き出し長さが変更される、
レンズ装置。
【請求項２】
前記長さ規制部材は前記開口を挟む２つのフランジを有する、請求項１に記載のレンズ装置。
【請求項３】
前記ケーブルは、少なくとも一部が前記制御ユニットの周囲に巻回されており、前記制御ユニットが前記レンズ鏡筒から突出する高さと前記巻回されたケーブルの前記突出方向の高さとが重複する、請求項１又は２に記載のレンズ装置。
【請求項４】
前記収納部は着脱可能なカバーを備え、
前記カバーを外すと前記収納部に収納されたケーブルが露出する、
請求項１から３のいずれか１項に記載のレンズ装置。
【請求項５】
前記カバーの縁部に切り欠きが形成されており、前記カバーを装着すると前記切り欠きが前記開口を形成する、請求項４に記載のレンズ装置。
【請求項６】
前記ケーブルが前記レンズ装置の視線方向と反対方向に引き出されるように前記開口が設けられた、請求項１から５のいずれか１項に記載のレンズ装置。
【請求項７】
前記制御ユニットはアイリス制御ユニットであり、前記ケーブルはアイリスケーブルである、請求項１から６のいずれか１項に記載のレンズ装置。
【請求項８】
請求項１から７のいずれか１項に記載のレンズ装置と、
前記レンズ装置が装着される撮像装置本体と、
を備える撮像装置。
【国際調査報告】
2014050332.tif 000013
2014050332.tif 000014
2014050332.tif 000015
2014050332.tif 000016